【事件の表示】
　特願２００１−３９７９３９「複数の画像の一つを選択するための選択方法」拒絶査定不服審判事件〔平成１５年　７月１１日出願公開、特開２００３−１９８８３３〕について、次のとおり審決する。
【結　論】
　本件審判の請求は、成り立たない。
【理　由】
１．手続の経緯
　本願は、平成１３年１２月２７日の出願であって、平成１９年４月１０日付けで拒絶査定がなされ、これに対し、同年５月１５日に拒絶査定に対する審判請求がなされたものである。
　
２．本願発明
　本願の請求項１に係る発明（以下、「本願発明」という。）は、平成１９年３月１９日付けの手続補正書の特許請求の範囲の請求項１に記載された事項により特定される、以下のとおりのものである。
　
「画像通信装置に装着される記憶媒体に記憶された複数の画像の一つを携帯機器から選択するための選択方法において、
　前記画像通信装置は、所定枚数の画像を所定の位置に配置して一枚のインデックス画像を生成し、
　前記所定枚数の画像の夫々のファイル名と、前記所定の位置に配置した前記所定枚数の画像の夫々に割り当てられる番号との関連を記載した画像データファイル名参照用ファイルを前記記憶媒体に保存し、
　前記携帯機器は、前記インデックス画像、及び、前記画像データファイル名参照用ファイルを取得し、
　前記携帯機器においてインデックス画像に含まれる画像から前記番号で選択された画像のファイル名を、前記画像通信装置から取得した前記画像データファイル名参照用ファイルを参照して、取得し、
　取得したファイル名の画像を取得することを特徴とする選択方法。」
　
３．引用例
　原査定の拒絶理由となった平成１９年１月１０日付けで通知された拒絶理由に引用された特開平１０−８４４７３号公報（以下、引用例という。）には、図面とともに以下の記載がなされている。
　
（１）「【特許請求の範囲】
【請求項１】　送信側で、記憶されている原画像を縮小した縮小画像を作成し、前記縮小画像の画像データを受信側に伝送し、前記受信側で受信した縮小画像の一覧を表示し、前記一覧の中で選択された１つ又は複数の縮小画像に対応する原画像の画像データを前記送信側から前記受信側に伝送することを特徴とする画像伝送方法。
【請求項２】　送信側から縮小画像の画像データと共に、前記縮小画像に対応する原画像の画像データファイルの情報を受信側に伝送し、前記受信側で縮小画像と共に画像データファイルの情報を一覧表示することを特徴とする請求項１記載の画像伝送方法。」
　
（２）「【０００３】
【発明が解決しようとする課題】しかしながら、上記従来の画像伝送方法及び画像伝送装置では、伝送する画像を受信側で選択できず、使い勝手が悪いという問題点があった。
【０００４】本発明は上記実情に鑑みて為されたもので、伝送する画像を受信側で選択でき、使い勝手の良い画像伝送方法及び画像伝送装置を提供することを目的とする。」
　
（３）「【００１３】本発明の画像伝送装置（本装置）は、ＭＰＵ１と、メモリ２と、Ｉ／Ｆ３と、記憶装置４と、画像メモリ５と、Ｉ／Ｆ６と、表示装置７と、Ａ／Ｄ変換部８と、ビデオ信号デコーダ部９と、通信コントローラ１０と、モデム１１と、入力部１２とから構成されている。
【００１４】そして、送信側の画像伝送装置と受信側の画像伝送装置は同様の構成であるが、ＭＰＵ１で実行される処理内容が異なっている。
……
【００１８】Ｉ／Ｆ３は、記憶装置４のインターフェイスである。記憶装置４は、複数の画像データ及び各画像データのファイル情報（画像データファイル情報）を記憶するハードディスク等の内部の記憶部、 又はフロッピーディスク、ＰＣカード等の外部の記憶媒体等である。 ここで、画像データファイル情報とは、具体的に、ファイル名、画像サイズ、ファイル作成時日付等の情報である。
【００１９】具体的に送信側の記憶装置４は、入力した原画像の画像データ（原画像データ）と、画像データファイル情報と、原画像を縮小した縮小画像の画像データ（縮小画像データ）とを対応付けて記憶している。尚、原画像データと画像データファイル情報と縮小画像データとを対応付けて記憶していれば、他の装置等で作成した記憶媒体でも構わない。
【００２０】また、受信側の記憶装置４は、受信した縮小画像データと、それに対応する画像データファイル情報と、受信した原画像データとを必要に応じて記憶するものである。
【００２１】表示装置７は、主に受信側で受信した縮小画像の一覧表示及び受信した原画像を表示するものである。一覧表示は、図２に示すように、例えば２４個の縮小画像について、縮小画像とそれに対応する画像ファイル情報を表示するようになっている。図２は、本発明の受信側の画像伝送装置における縮小画像の一覧表示例を示す説明図である。」（「フロッピー」は登録商標）
　
（４）「【００３１】一方、受信側のＭＰＵ１で行われる処理は、画像データを受信する受信処理である。受信処理は、まずモデム１１， 通信コントローラ１０を介して縮小画像データを受信して記憶装置４に格納し、図２に示した形式で表示されるように画像メモリ５に表示データを格納する。尚、受信した縮小画像データは記憶装置４に格納しなくても良い。
【００３２】そして、入力部１２から次ページの送信要求又は伝送する画像の選択と原画像データの送信要求を入力すると、その送信要求を送信側に対して送信する。尚、原画像データの送信要求は、表示中の何番目の画像であるかを示す番号であっても良いし、原画像の画像データファイルのファイル名でも良い。 但し、番号で指定する場合は、送信側で一覧表示されている画像と各原画像データのファイル名とが対応付けられていなければならないし、 ファイル名で指定する場合は、受信側で番号に対応付けて画像データファイル情報を記憶しておかなければならないものである。
【００３３】そして、原画像データの送信要求に対して送信側から送信された原画像データを受け取り、記憶装置４に記憶すると共に、画像メモリ５に格納して表示装置７に表示させるようになっている。」
　
　したがって、引用例には次の発明（以下、「引用発明」という。）が記載されているといえる。
　
「送信側の画像伝送装置の記憶装置である、 フレキシブルディスク、ＰＣカード等の外部の記憶媒体に記憶された複数の画像データの１つを受信側の画像伝送装置で選択できる画像伝送方法において、
　前記記憶装置に画像データ（原画像データ）と、画像データファイル情報と、原画像を縮小した縮小画像の画像データ（縮小画像データ）とを対応付けて記憶し、
　送信側の画像伝送装置から縮小画像の画像データと共に、前記縮小画像に対応する原画像の画像データファイルの情報を受信側の画像伝送装置に伝送し、
　受信側の画像伝送装置で受信した縮小画像の一覧を表示し、
　受信側の画像伝送装置で選択する画像をファイル名で指定するため、縮小画像の一覧で表示中の何番目の画像であるかを示す番号に対応付けて画像
データファイル情報を記憶し、
　受信側の画像伝送装置で選択した画像のファイル名を原画像データの送信要求として送信側の画像伝送装置に対して送信し、
　原画像データの送信要求に対して送信側の画像伝送装置から送信された原画像データを受け取る画像伝送方法。」
　
４．対比
　引用発明の「フレキシブルディスク、ＰＣカード等の外部の記憶媒体」は画像通信装置といえる「送信側の画像伝送装置」に装着される記憶媒体といえるものであり、引用発明は「受信側の画像伝送装置」が携帯機器であるとの特定がない点を除いて、画像通信装置に装着される記憶媒体に記憶された複数の画像の一つを他の機器から選択するための選択方法である点で、本願発明と共通する。
　引用発明の「縮小画像の一覧」も所定枚数の画像を所定の位置に配置した一枚のインデックス画像といえるものであり、そのインデックス画像を表示するのであるから、それを生成する処理が行われるはずであり、引用発明は「受信側の画像伝送装置」で生成するものといえるが、生成する機器の相違を除いて、所定枚数の画像を所定の位置に配置して一枚のインデックス画像を生成し、とする点で、本願発明と共通する。
　引用発明は選択する画像をファイル名で指定するため、縮小画像の一覧で表示中の何番目の画像であるかを示す番号に対応付けて画像データファイル情報を記憶するから、保存する機器の相違を除いて、所定枚数の画像の夫々のファイル名と、所定の位置に配置した所定枚数の画像の夫々に割り当てられる番号との関連を記載した画像データファイル名参照用の情報を保存し、とする点で、本願発明と共通する。
　引用発明は「受信側の画像伝送装置」が縮小画像の一覧で表示中の何番目の画像であるかを示す番号に対応付けた画像データファイル情報により、選択する画像をファイル名で指定し、原画像データを受け取るから、他の機器においてインデックス画像に含まれる画像から番号で選択された画像のファイル名を、画像データファイル名参照用の情報を参照して、取得し、取得したファイル名の画像を取得することで、本願発明と共通する。
　
　したがって、本願発明と引用発明とを対比すると、次の点で一致する。
　
「画像通信装置に装着される記憶媒体に記憶された複数の画像の一つを他の機器から選択するための選択方法において、
　 所定枚数の画像を所定の位置に配置して一枚のインデックス画像を生成し、
　前記所定枚数の画像の夫々のファイル名と、前記所定の位置に配置した前記所定枚数の画像の夫々に割り当てられる番号との関連を記載した画像データファイル名参照用の情報を保存し、
　前記他の機器においてインデックス画像に含まれる画像から前記番号で選択された画像のファイル名を、前記画像データファイル名参照用の情報を参照して、取得し、
　取得したファイル名の画像を取得することを特徴とする選択方法。」
　
　また次の点で相違する。
　
　相違点１
　本願発明では、インデックス画像の生成及び画像データファイル名参照用の情報の保存が、「画像通信装置」及び「画像通信装置に装着される記憶媒体」で行われ、他の機器で、それらインデックス画像の及び画像データファイル名参照用の情報を取得し、その画像データファイル名参照用の情報を参照する。
　それに対して、引用発明では、 インデックス画像の生成及び画像データファイル名参照用の情報の保存が、 他の機器である「受信側の画像伝送装置」で行われる点。
　
　相違点２
　本願発明では、他の機器が携帯機器であるのに対して、引用発明ではそのような特定がない点。
　
　相違点３
　本願発明では、画像データファイル名参照用の情報が画像データファイル名参照用ファイルであるのに対して、引用発明では記憶する形態についての特定がない点。
　
５．相違点に対する判断
　相違点１について
　インデックス画像の生成を送信側で行うか、受信側で行うかは、適宜選択できる設計事項といえる程度のことである。
　例えば、特開２００１−１６５６８号公報（平成１３年１月１９日出願公開、平成１８年６月２７日付けで通知された拒絶理由に引用）には、以下の記載がある。
「【０１１４】ここでは，サーバ100において，サーバ100にアップロードされた画像のサムネイル画像の一覧を示す画像データが生成されているものとする。もちろん，サムネイル画像の一覧を表すデータをディジタル・スチル・カメラ１Ａにおいて生成し，そのサムネイル画像の一覧を表すデータをディジタル・スチル・カメラ１Ａから携帯電話40Aを介してサーバ100に送信してもよい。」
　引用発明においても、 インデックス画像の生成を「送信側の画像伝送装置」で行い、それを「受信側の画像伝送装置」が取得することに困難な点はない。
　また、画像データファイル名参照用の情報についても、インデックス画像と同様に「送信側の画像伝送装置」で生成保存し、それを「受信側の画像伝送装置」が取得参照することに困難な点はない。
　
　相違点２について
　携帯機器に画像データを伝送することは、例えば携帯電話に画像データを伝送することが普通に行われることから、格別なこととはいえない。
　引用発明においても、「受信側の画像伝送装置」を携帯機器とすることに困難な点はない。
　
　相違点３について
　データをファイルとして記憶することは、普通に行われることであり、引用発明においても、ファイルとして記憶することに困難な点はない。
　
　上記のように、引用発明において各相違点を本願発明のようにすることに困難な点はないから、本願発明は、引用発明に基づき当業者が容易に発明をすることができたものである。
　
６．むすび
　以上のとおり、本願発明は、引用発明に基づいて、当業者が容易に発明をすることができたものであるから、特許法第２９条第２項の規定により特許を受けることができない。
　よって、結論のとおり審決する。